(57)【要約】【課題】  ステープラやラベル等を用いることなく、パッケージ本体と蓋体との係合を確実に保つことができ、蓋体の開閉も行えるブリスターパッケージを提供する。【解決手段】  パッケージの本体２と蓋体４に、互いに係合する係合フラップ６と係合孔５ｂを、これら係合フラップ６と係合孔５ｂが対となるように配し、例えば、本体２に有する係合孔フラップ３に配した係合孔５ｂに、蓋体４に配した係合フラップ６を挿通させた際、同係合孔５ｂの開口面に対し略直交方向に進行する係合フラップ６の遊端部を、係合フラップ６に設けた突部６ａにより係合孔フラップ３の下方に強制的に変向させるとともに、本体２の当接面２ｄと係合フラップ６の当接面６ｂとを当接させ、パッケージの本体２と蓋体４との係合を確実に保つことができ、蓋体４の開閉も行なえるようにした。【選択図】  図５
2008265856.tif 000002
【特許請求の範囲】
【請求項１】
パッケージの本体と蓋体に、互いに係合する係合フラップと係合孔とを、これら係合フラップと係合孔が対となるように配し、係合孔に係合フラップを挿通させた際、同係合孔の開口面に対し略直交方向に進行する係合フラップの遊端部を、強制的に変向させる変向手段を設けてなるブリスターパッケージ。
【請求項２】
前記係合孔の下方に斜面を有する壁面を形成し、係合孔に係合フラップを挿通させた際、前記壁面の斜面に前記係合フラップの遊端部が接触し、同係合フラップにおける遊端部の進行方向が、前記壁面と略反対方向に変向させられるように構成してなる請求項１に記載のブリスターパッケージ。
【請求項３】
前記係合孔の下方に、同係合孔の開口面に対し略直交方向に沿う略平坦な壁面を形成するとともに、前記係合フラップにおける前記略平坦な壁面側のフラップ面に突部を形成し、係合孔に係合フラップを挿通させた際、前記略平坦な壁面に前記係合フラップの突部が接触し、同係合フラップにおける遊端部の進行方向が、前記突部の突出方向と略反対方向に変向させられるように構成してなる請求項１に記載のブリスターパッケージ。
【請求項４】
前記係合孔の下方に、同係合孔の開口面に対し略直交方向に突出する突部を有する壁面を形成し、係合孔に係合フラップを挿通させた際、前記突部に前記係合フラップにおける一側のフラップ面が接触し、同係合フラップにおける遊端部の進行方向が、前記突部の突出方向と略同じ方向に変向させられるように構成してなる請求項１に記載のブリスターパッケージ。
【請求項５】
前記壁面を、パッケージの本体における被収容物を収容するための凹部側壁としてなる請求項２乃至４に記載のブリスターパッケージ。
【請求項６】
前記壁面を、パッケージの断面略逆Ｕ字状に形成した蓋体の側壁としてなる請求項２乃至４に記載のブリスターパッケージ。
【請求項７】
前記係合フラップを、同係合フラップにおける基部の左右幅よりも本体の左右幅を大に形成し、また前記係合孔を、同係合孔における開口の前後方向に対し、一側辺部を係合フラップが挿通できる左右幅にするとともに、他側辺部を係合フラップにおける基部の左右幅よりも大に、かつ本体の左右幅よりも小の左右幅にした開口の平面視において略台形状に形成し、また同他側が、係合孔に挿通された係合フラップにおける遊端部の進行方向側になるようにして配し、係合孔に係合フラップを挿通させた際、係合フラップにおける基部と本体の左右端部の間に有する肩辺部が、前記係合孔を配した部材の下方に入り込むようにしてなる請求項１に記載のブリスターパッケージ。
【請求項８】
前記本体の被収容物を収容する凹部開口縁部に、係合孔を形成するための係合孔フラップを接続するとともに、同係合孔フラップにおける基部の一点を始点にし、同始点から係合孔フラップ上を経由して始点から所定の距離を開けた基部の他点に渡る切れ込みを入れて、同係合孔フラップを、前記凹部開口側もしくは反対側に折り曲げることによって前記係合孔を係合孔フラップ上に形成するようにしてなる請求項１に記載のブリスターパッケージ。
【請求項９】
前記係合孔フラップに被収容物の保持部を形成し、同保持部に被収容物を保持させた後に係合孔フラップを前記凹部開口上に折り曲げることによって被収容物が凹部内に収容されるようにしてなる請求項８に記載のブリスターパッケージ。
【発明の詳細な説明】
【技術分野】
【０００１】
本発明は、商品の収容部を設けた本体と、前記収容部を閉塞するための蓋体とを有するブリスターパッケージに関し、より詳しくは、本体と蓋体との係合を確実に保つことができて、商品を安定して収容できるブリスターパッケージに関する。
【背景技術】
【０００２】
従来、商品はブリスターパッケージ等のパッケージによって包装されていて、同パッケージは、商品の収容部たる凹部を成形してなるパッケージ本体と、パッケージ本体における前記凹部開口を閉塞するための蓋体とによって構成したものがある（例えば特許文献１参照）。
【０００３】
また、パッケージの中でも特にブリスターパッケージは商品を収容して吊り下げ展示されるのが一般的であり、商品を展示している状態で中の商品が抜け落ちるようなことがないように、前記蓋体は、蓋体に設けている差込片等をブリスターパッケージ本体もしくはブリスターパッケージ本体に重着する商品説明等の印刷表示がなされた台紙に形成されたスリットに差し込んで、蓋体が不用意に開放されないようにしている。
【０００４】
さらには、ブリスターパッケージ本体に形成したスリットに、蓋体に設けているフラップ片に形成したスリットを係合して蓋体の開放を防止しているものや、蓋体を確実に開かないようにするものは、ブリスターパッケージ本体と蓋体とをステープラで固定したり、ラベルや粘着テープを貼り付けたりして固定し、これらステープラやラベルなどを取らない限り蓋体が開かないようにしているものもある。
【０００５】
しかしながら、上述した従来のものにおける蓋体の固定は、ブリスターパッケージ本体と蓋体とをステープラで固定したり、ラベルや粘着テープを貼り付けて固定するものを除き、蓋体に設けている差込片等をブリスターパッケージ本体もしくはブリスターパッケージ本体に重着する台紙に形成されたスリットに差し込むようにしたものや、ブリスターパッケージ本体に形成したスリットに蓋体のフラップ片に形成したスリットを係合するものは、ブリスターパッケージ本体に捻りが生じるような力が掛かると、スリットに差し込まれている差込片等が抜けたり、ブリスターパッケージ本体と蓋体のフラップ片とのスリット係合が外れたりして商品が脱落する恐れがある。
【０００６】
また、ブリスターパッケージ本体と蓋体とをステープラで固定したり、ラベルや粘着テープを貼り付けたりして固定するものは、ブリスターパッケージ本体と蓋体との固定がより確実にできるのであるが、ステープラは商品を取り出す際に指を傷付ける恐れがあり、またラベルや粘着テープは破損して商品が脱落したり、あるいは剥がした際に糊が残って体裁を損なったりする恐れがある。
【０００７】
さらに、ブリスターパッケージ本体と蓋体とをステープラで固定したり、ラベルや粘着テープを貼り付けて固定するものは、再チェック作業等によって商品を一旦パッケージから取り出すと、再び商品を収容する際には改めてブリスターパッケージ本体と蓋体とをステープラで固定したり、ラベルや粘着テープを貼り付けて固定しなければならないという煩雑さがある。
【０００８】
【特許文献１】実用新案登録第３０７２３５１号公報（第１〜１０頁、図１〜８）
【発明の開示】
【発明が解決しようとする課題】
【０００９】
本発明は、ステープラやラベル等を用いることなく、パッケージ本体と蓋体との係合を確実に保つことができ、また、所望により被収容物の収納、取り出しを繰り返し行なえる保管容器としても使用できるブリスターパッケージを提供する。
【課題を解決するための手段】
【００１０】
上述した課題を解決するために、本発明に係るブリスターパッケージは、パッケージの本体と蓋体に、互いに係合する係合フラップと係合孔とを、これら係合フラップと係合孔が対となるように配し、係合孔に係合フラップを挿通させた際、同係合孔の開口面に対し略直交方向に進行する係合フラップの遊端部を、強制的に変向させる変向手段を設けたものとしてある。
【００１１】
また、前記係合孔の下方に斜面を有する壁面を形成し、係合孔に係合フラップを挿通させた際、前記壁面の斜面に前記係合フラップの遊端部が接触し、同係合フラップにおける遊端部の進行方向が、前記壁面と略反対方向に変向させられるように構成したものとしてある。
【００１２】
さらに、前記係合孔の下方に、同係合孔の開口面に対し略直交方向に沿う略平坦な壁面を形成するとともに、前記係合フラップにおける前記略平坦な壁面側のフラップ面に突部を形成し、係合孔に係合フラップを挿通させた際、前記略平坦な壁面に前記係合フラップの突部が接触し、同係合フラップにおける遊端部の進行方向が、前記突部の突出方向と略反対方向に変向させられるように構成したものとしてある。
【００１３】
また、前記係合孔の下方に、同係合孔の開口面に対し略直交方向に突出する突部を有する壁面を形成し、係合孔に係合フラップを挿通させた際、前記突部に前記係合フラップにおける一側のフラップ面が接触し、同係合フラップにおける遊端部の進行方向が、前記突部の突出方向と略同じ方向に変向させられるように構成したものとしてある。
【００１４】
さらに前記壁面を、パッケージの本体における被収容物を収容するための凹部側壁としたり、前記壁面を、パッケージの断面略逆Ｕ字状に形成した蓋体の側壁とした構成のものとしてある。
【００１５】
また前記係合フラップを、同係合フラップにおける基部の左右幅よりも本体の左右幅を大に形成し、また前記係合孔を、同係合孔における開口の前後方向に対し、一側辺部を係合フラップが挿通できる左右幅にするとともに、他側辺部を係合フラップにおける基部の左右幅よりも大に、かつ本体の左右幅よりも小の左右幅にした開口の平面視において略台形状に形成し、また同他側が、係合孔に挿通された係合フラップにおける遊端部の進行方向側になるようにして配し、係合孔に係合フラップを挿通させた際、係合フラップにおける基部と本体の左右端部の間に有する肩辺部が、前記係合孔を配した部材の下方に入り込むようにした構成のものとしてある。
【００１６】
さらに、前記本体の被収容物を収容する凹部開口縁部に、係合孔を形成するための係合孔フラップを接続するとともに、同係合孔フラップにおける基部の一点を始点にし、同始点から係合孔フラップ上を経由して始点から所定の距離を開けた基部の他点に渡る切れ込みを入れて、同係合孔フラップを、前記凹部開口側もしくは反対側に折り曲げることによって前記係合孔を係合孔フラップ上に形成するように構成したものとしてある。
【００１７】
また、前記係合孔フラップに被収容物の保持部を形成し、同保持部に被収容物を保持させた後に係合孔フラップを前記凹部開口上に折り曲げることによって被収容物が凹部内に収容されるようにしたものとしてある。
【発明の効果】
【００１８】
本発明のブリスターパッケージによれば、係合孔に挿通した係合フラップの大部分が同係合孔を配した部材の下方に入り込むので、同係合フラップの基部や基部近傍における一側のフラップ面が、係合孔の縁部や同係合孔を配している部材の下面部分と接触して係合する。
【００１９】
また係合フラップの大部分が同係合孔を配した部材の下方に入り込んでいる状態では、同係合フラップが変向手段によって強制的に曲げられているので、係合フラップの基部や基部近傍における一側のフラップ面と、係合孔の縁部や同係合孔を配している部材の下面部分との係合を確実に保持することができ、蓋体が開いてパッケージ中の被収容物が脱落するのを確実に防止できる。
【００２０】
そして、係合孔の開口形状や、係合フラップが係合孔を配した部材の下方に入り込む量を大または小に調整したり、同係合フラップの肩辺部のテーパ角度を調整したりすることによって係合力の強弱を任意に設定できるので、絶対に開けられては困るような商品を収納する場合は係合力が強となるように設計し、また、収納、取り出しを容易に繰り返して行なえる保管容器とする場合には係合力が弱となるように設計することが可能であり、広範な用途に適用することができる。
【００２１】
さらに、係合フラップにおける基部と本体との左右端部（最大幅部）の間における肩辺部が、前記係合孔を配した部材の下方に入り込むようにしたものでは、係合フラップと係合孔を配した部材との係合がより強固になるので、比較的重量の大なる商品を包装するためのパッケージとしても、商品の脱落の恐れが少なくて好適に用いることができる。
【００２２】
したがって本ブリスターパッケージは、従来のように、ステープラやラベル等の固定具、固定材を用いることなく、パッケージ本体と蓋体との係合を確実に保持することができる。
【発明を実施するための最良の形態】
【００２３】
以下、本発明のブリスターパッケージを添付図面に基づいて説明する。
ブリスターパッケージ１は、例えばポリエチレンテレフタレート等の透明な合成樹脂製のシートよりなり、適度の柔軟性と保形性を有し、被収容物たる商品を収容するための凹部２ａを本体２に形成している（図２参照）。
【００２４】
本ブリスターパッケージ１には、本体２における凹部２ａ上縁部の一方に折り目３ａを介して係合孔フラップ３を、また凹部２ａ上縁部の他方に折り目４ａを介して蓋体４を設けていて、このように構成することで、成形性に優れる一体成形によりブリスターパッケージ１を形成できるようにしている。
【００２５】
またブリスターパッケージ１は、普通は全体を透明にして収納する商品が外部からはっきりと確認できるようにしているが、光を嫌うものやデザイン性等の理由から、ブリスターパッケージ１の全体あるいは一部を半透明や不透明にする場合もある。なお、図中の符号７は吊り下げ展示用の通孔を示している。
【００２６】
そして、係合孔フラップ３には、この係合孔フラップ３の基部となる折り目３ａ上を始点にし、この始点から係合孔フラップ３内を経由して始点から所定の距離を開けた折り目３ａ上の他点に渡る切れ込み５を設けていて、図３に示すように、パッケージの際に係合孔フラップ３を本体２の凹部２ａ上に折り重ねることにより、この係合孔フラップ３に、後述する蓋体４に設けている係合フラップ６を挿通するための係合孔５ｂが形成されるようにしている。
【００２７】
なお、係合孔５ｂの形成に際し、本体２の凹部２ａ上部縁には外方に突出する庇５ａが残るが、この庇５ａが、蓋体４の係合フラップ６が本体２の凹部２ａ上に折り重ねた係合孔フラップ３の係合孔５ｂに挿通された状態の時、係合フラップ６と係合孔フラップ３との係合部に外力が加わった際に、この係合部を保護する緩衝用の保護部材（バンパー）として機能する。
【００２８】
また、ブリスターパッケージ１によるパッケージングは、図４に示す（ａ）から（ｃ）のように、本体２の凹部２ａ上に係合孔フラップ３を折り重ね（ａ→ｂ）、次に本体２の凹部２ａ上に折り重ねられた合用フラップ３の上に蓋体４を折り重ねるとともに、蓋体４に設けた係合フラップ６を、係合孔フラップ３が本体２の凹部２ａ上に折り重ねられることにより形成された係合孔５ｂに挿通する（ｂ→ｃ）ことで完成される。
【００２９】
なお、図４における上方の図は、ブリスターパッケージ１を平面視する図であり、下方の図は、ブリスターパッケージ１を正面視する図である。
【００３０】
そして、上記パッケージングによって完成された図４に示す（ｃ）の係合孔５ｂに挿通されている係合孔フラップ３の係合状態は、図５に示すように、本体２の凹部２ａ内壁に設けた平坦な当接面２ｂと係合フラップ６に設けた突部６ａの平坦な当接面６ｂとを当接させているので、この平坦な面どうしの接触によって本体２の当接面２ｂと係合フラップ６の当接面６ｂの係合が解き難く、したがって展示品のセキュリティを向上できる。
【００３１】
そして、係合孔フラップ３に形成した係合孔５ｂに挿通される蓋体４に設けた係合フラップ６との寸法関係は、図６に示すように、係合孔５ｂの基部幅（Ｃ、Ｃ'）に対して係合フラップ６の最大幅（Ｅ、Ｅ'）を同じかあるいは僅かに小とし、また、係合孔５ｂの最小幅（Ｄ、Ｄ'） に対して係合フラップ６の基部幅（Ｆ、Ｆ'）を同じかあるいは僅かに小としている。
【００３２】
また、実施例には係合フラップ６の最大幅部（Ｅ、Ｅ'）から基部（Ｆ、Ｆ'）間の肩辺部（Ｅ、Ｆ間およびＥ'、Ｆ'間）を基部に向って細くなるテーパにしているものを示していて、このように辺（Ｅ、ＦおよびＥ'、Ｆ'）をテーパにすることで、係合孔フラップ３と係合孔５ｂとが係合した際、前記肩辺部（Ｅ、ＦおよびＥ'、Ｆ'）が、係合孔５ｂを有する係合孔フラップ３の下方に入り込むので、係合孔フラップ３の係合をより強固にできる。
【００３３】
そして、係合孔５ｂの開口形状や、係合フラップ６が係合孔５ｂを有する係合孔フラップ３の下方に入り込む量を大または小に調整したり、同係合フラップ６の肩辺部（Ｅ、Ｆ間およびＥ'、Ｆ'間）のテーパ角度やテーパ辺長さ等を調整したりすることによって係合力の強弱を調整できるので、簡単に開けられては困るような商品を収納する場合は係合力を強にし、また、収納、取り出しを繰り返し行なう保管容器として使用する場合には係合力を弱にするというように用途に合わせて適宜設計する。
【００３４】
また実施例には示していないが、係合孔フラップ３における係合孔５ｂの最小幅（Ｄ、Ｄ'）をより小なる幅にするとともに、係合フラップ６の基部幅（Ｆ、Ｆ'）を前記係合孔５ｂの最小幅（Ｄ、Ｄ'）の幅に合わせることで、係合孔フラップ３の下面下に入り込む係合フラップ６の左右端部近傍（最大幅部（Ｅ、Ｅ'））が大になり、したがって、蓋体４を開けようとする際の力により係合フラップ６の左右端部近傍（最大幅部（Ｅ、Ｅ'））が変形した場合でも、係合フラップ６と係合孔フラップ３における係合孔５ｂとの係合力が強くなって、蓋体４の開放をより強力に阻止することができる。
【００３５】
そして、上記寸法関係における蓋体４に設けた係合フラップ６を係合孔フラップ３に形成した係合孔５ｂに挿通した際、係合フラップ６が係合孔５ｂに係合する係合過程を図７中の（ａ）から（ｄ）に基づき説明する。
【００３６】
また図７における上方の各図は、係合フラップ６と係合孔５ｂとの係合過程を平面視するものであり、下方の各図は、上方の図におけるＨ−Ｈ部分の断面を示すものである。
【００３７】
まず、係合フラップ６は、図７（ａ）に示すように、係合フラップ６の遊端部を係合孔フラップ３の係合孔５ｂに向けて蓋体４を閉める方向に進行させ、図７（ｂ）に示すように係合孔５ｂに挿入する。
【００３８】
さらに係合フラップ６を挿入すると、図７（ｃ）に示すように、係合フラップ６の突部６ａにおける斜面が本体２における凹部２ａの内壁面に形成する当接面２ｂの上端に接触し、この接触によって係合フラップ６の突部６ａとともに、係合フラップ６が係合孔フラップ３の遊端部方向に押されながら係合孔５ｂを通過する。
【００３９】
さらに係合フラップ６を奥へ挿入すると、図７（ｄ）に示すように係合フラップ６に設けた突部６ａの平坦な当接面６ｂと本体２の凹部２ａ内壁に設けた平坦な当接面２ｂとが当接（平面同士の接触）し、基部から屈曲する係合フラップ６の大部分が係合孔５ｂを配した係合孔フラップ３の下方に位置する。
【００４０】
そして、係合フラップ６に設けた突部６ａの平坦な当接面６ｂと本体２の凹部２ａ内壁に設けた平坦な当接面２ｂとの当接（平面同士の接触）が蓋体４を閉じている間維持されるので、係合孔５ｂに挿通されている係合孔フラップ３は確実に係合して蓋体４の不用意な開放が防止される。
【００４１】
また、図８に示すように、係合孔フラップ３上に被収容物の保持部３ｂを形成し、収納する商品を先ずこの保持部３ｂに固定してから係合孔フラップ３を本体２の凹部２ａ上に折り重ねて商品を凹部２ａ内に収容する場合もある。
【００４２】
そして、図９に示すように、本体２の上端に係合孔２ｃを設け、また係合孔２ｃの外方縁部の下方に続く凹部２ａの内壁面を、上方に凹部２ａ内方に向う下り傾斜面２ｅを僅かに設けるとともに、下方に続けて平坦な内壁２ｄ面を設けて、この平坦な内壁２ｄ面に、蓋体４の係合フラップ６に設けた突部６ａの平坦な当接面６ｂを当接（平面同士の接触）させる場合もある。
【００４３】
ここで図９中の（ａ）は、蓋体４を閉じる前を示し、同（ｂ）は、蓋体４を閉じて、本体２の平坦な内壁２ｄと蓋体４の係合フラップ６に設けた突部６ａの平坦な当接面６ｂとが当接（平面同士の接触）した状態を示している。
【００４４】
また図１０に示すように、本体２における凹部２ａの上端に係合フラップ６を設け、蓋体４における前記本体２に設けた係合フラップ６に対向する位置に係合孔４ｂを設けるとともに、蓋体４の内壁に、係合フラップ６に設けた突部６ａの平坦な当接面６ｂと当接する平坦な当接面４ｃを設けて、この平坦な当接面４ｃに、蓋体４の係合フラップ６に設けた突部６ａの平坦な当接面６ｂを当接（平面同士の接触）させる場合もある。
【００４５】
この図１０中においては、（ａ）が蓋体４を閉じる前を示し、（ｂ）が蓋体４を閉じて、本体２の係合フラップ６に設けた突部６ａの平坦な当接面６ｂと蓋体４の平坦な当接面４ｃとが当接（平面同士の接触）した状態を示している。
【００４６】
さらに図１１に示すように、本体２と蓋体４とを各々別体として設け、蓋体４の所望の部位（実施例では両側）に係合フラップ６を設け、また、本体２における前記蓋体４に設けた係合フラップ６に対向する位置に係合孔２ｃを設けるとともに、本体２における凹部２ａの内壁に、係合フラップ６に設けた突部６ａの平坦な当接面６ｂと当接（平面同士の接触）する平坦な当接面２ｄを設けて、この平坦な当接面２ｄに、蓋体４の係合フラップ６に設けた突部６ａの平坦な当接面６ｂを当接（平面同士の接触）させる場合もある。
【００４７】
同図１１中の（ａ）は蓋体４を閉じる前を、同（ｂ）は、蓋体４を閉じて本体２の平坦な内壁２ｄと蓋体４の係合フラップ６に設けた突部６ａの平坦な当接面６ｂとが当接（平面同士の接触）した状態を示している。
【００４８】
さらに、本実施例では係合フラップ６が本体２の凹部２ａ内または蓋体４内に位置するように係合させているが、係合フラップ６を本体２の凹部２ａ外または蓋体４外に位置させた状態で係合させるように構成する場合もある。
【００４９】
また、本実施例では本体２と蓋体４の各々に係合フラップ、係合孔を複数配する場合、同じもの（本体２には係合孔、蓋体には係合フラップ）を配しているが、本体２に係合孔と係合フラップを、蓋体に係合フラップと係合孔を、各々一対となるように配する場合もある。
【００５０】
そして、図１２に示すように、係合孔と係合フラップの各々を独立した部材として、係合孔アッセンブリ８、係合フラップアッセンブリ９として設け、これら係合孔アッセンブリ８、係合フラップアッセンブリ９を所定のパッケージにおける本体と蓋体に溶着や接着等によって取り付け、同パッケージの係合部材とする場合もある。
【００５１】
図１２中の符号８ａは、係合フラップアッセンブリ９の係合フラップ９ａを挿通する係合孔、符号８ｂは当接面をそれぞれ示し、この当接面８ｂは、係合孔８ａに挿通された係合フラップアッセンブリ９における係合フラップ９ａの突部９ｂに形成している当接面９ｃと当接する。
【図面の簡単な説明】
【００５２】
【図１】本発明に係わるブリスターパッケージの一例を示す平面図。
【図２】図１に示すブリスターパッケージの正面図。
【図３】図１に示すブリスターパッケージの係合孔フラップを本体上に折り重ねた状態を示す平面図。
【図４】パッケージング過程を示す図。
【図５】係合フラップの係合状態を示す図
【図６】係合孔と係合フラップとの寸法関係の一例を示す図。
【図７】係合フラップの係合過程を示す図。
【図８】係合孔フラップに商品を保持したブリスターパッケージを示す図。
【図９】ブリスターパッケージの他の係合形態を示す図。
【図１０】ブリスターパッケージの他の係合形態を示す図。
【図１１】ブリスターパッケージの他の係合形態を示す図。
【図１２】係合孔アッセンブリと係合フラップアッセンブリを示す斜視図。
【符号の説明】
【００５３】
１  ブリスターパッケージ
２  本体
２ａ  凹部
２ｂ  当接面
２ｃ  係合孔
２ｄ  内壁
２ｅ  傾斜面
３  係合孔フラップ
３ａ  折り目
３ｂ  保持部
４  蓋体
４ａ  折り目
４ｂ  係合孔
４ｃ  当接面
５  切れ込み
５ａ  庇
５ｂ  係合孔
６  係合フラップ
６ａ  突部
６ｂ  当接面
７  通孔
８  係合孔アッセンブリ
８ａ  係合孔
８ｂ  当接面
９  係合フラップアッセンブリ
９ａ  係合フラップ
９ｂ  突部
９ｃ  当接面
【図１】
2008265856.tif 000003
【図２】
2008265856.tif 000004
【図３】
2008265856.tif 000005
【図４】
2008265856.tif 000006
【図５】
2008265856.tif 000007
【図６】
2008265856.tif 000008
【図７】
2008265856.tif 000009
【図８】
2008265856.tif 000010
【図９】
2008265856.tif 000011
【図１０】
2008265856.tif 000012
【図１１】
2008265856.tif 000013
【図１２】
2008265856.tif 000014
【手続補正書】
【提出日】平成19年11月30日(2007.11.30)
【手続補正１】
【補正対象書類名】特許請求の範囲
【補正対象項目名】全文
【補正方法】変更
【補正の内容】
【特許請求の範囲】
【請求項１】
パッケージの本体と蓋体に、互いに係合する係合フラップと係合孔とを、これら係合フラップと係合孔が対となるように配し、係合孔に係合フラップを挿通させた際、同係合孔の開口面に対し略直交方向に進行する係合フラップの遊端部を強制的に変向させる変向手段を設け、この変向手段を、前記係合孔の下方に、同係合孔の開口面に対し略直交方向に沿うように形成した略平坦な壁面と、前記係合フラップにおける前記略平坦な壁面側のフラップ面に形成した突部とで構成し、係合孔に係合フラップを挿通させた際、前記略平坦な壁面に前記係合フラップの突部が接触し、同係合フラップにおける遊端部の進行方向が、前記突部の突出方向と略反対方向に変向させられるように構成してなるブリスターパッケージ。
【請求項２】
前記壁面を、パッケージの本体における被収容物を収容するための凹部側壁としてなる請求項１に記載のブリスターパッケージ。
【請求項３】
前記壁面を、パッケージの断面略逆Ｕ字状に形成した蓋体の側壁としてなる請求項１に記載のブリスターパッケージ。
【請求項４】
パッケージの本体と蓋体に、互いに係合する係合フラップと係合孔とを、これら係合フラップと係合孔が対となるように配し、係合孔に係合フラップを挿通させた際、同係合孔の開口面に対し略直交方向に進行する係合フラップの遊端部を強制的に変向させる変向手段を設け、この変向手段を、前記係合孔の下方に、同係合孔の開口面に対し略直交方向に突出する突部を形成した壁面と、前記係合フラップの一側のフラップ面とで構成し、係合孔に係合フラップを挿通させた際、前記突部に前記係合フラップにおける一側のフラップ面が接触し、同係合フラップにおける遊端部の進行方向が、前記突部の突出方向と略同じ方向に変向させられるように構成してなるブリスターパッケージ。
【請求項５】
前記壁面を、パッケージの本体における被収容物を収容するための凹部側壁としてなる請求項４に記載のブリスターパッケージ。
【請求項６】
前記壁面を、パッケージの断面略逆Ｕ字状に形成した蓋体の側壁としてなる請求項４に記載のブリスターパッケージ。
【請求項７】
パッケージの本体と蓋体に、互いに係合する係合フラップと係合孔とを、これら係合フラップと係合孔が対となるように配し、係合孔に係合フラップを挿通させた際、同係合孔の開口面に対し略直交方向に進行する係合フラップの遊端部を強制的に変向させる変向手段を設け、前記係合フラップを、同係合フラップにおける基部の左右幅よりも本体の左右幅を大に形成し、また前記係合孔を、同係合孔における開口の前後方向に対し、一側辺部を係合フラップが挿通できる左右幅にするとともに、他側辺部を係合フラップにおける基部の左右幅よりも大に、かつ本体の左右幅よりも小の左右幅にした開口の平面視において略台形状に形成し、また同他側が、係合孔に挿通された係合フラップにおける遊端部の進行方向側になるようにして配し、係合孔に係合フラップを挿通させた際、係合フラップにおける基部と本体の左右端部の間に有する肩辺部が、前記係合孔を配した部材の下方に入り込むようにしてなるブリスターパッケージ。
【請求項８】
パッケージの本体と蓋体に、互いに係合する係合フラップと係合孔とを、これら係合フラップと係合孔が対となるように配し、係合孔に係合フラップを挿通させた際、同係合孔の開口面に対し略直交方向に進行する係合フラップの遊端部を強制的に変向させる変向手
段を設け、前記本体の被収容物を収容する凹部開口縁部に、係合孔を形成するための係合孔フラップを接続するとともに、同係合孔フラップにおける基部の一点を始点にし、同始点から係合孔フラップ上を経由して始点から所定の距離を開けた基部の他点に渡る切れ込みを入れて、同係合孔フラップを、前記凹部開口側もしくは反対側に折り曲げることによって前記係合孔を係合孔フラップ上に形成するようにしてなるブリスターパッケージ。
【請求項９】
前記係合孔フラップに被収容物の保持部を形成し、同保持部に被収容物を保持させた後に係合孔フラップを前記凹部開口上に折り曲げることによって被収容物が凹部内に収容されるようにしてなる請求項８に記載のブリスターパッケージ。
【手続補正２】
【補正対象書類名】明細書
【補正対象項目名】００１１
【補正方法】変更
【補正の内容】
【００１１】
そして、前記係合孔の下方に、同係合孔の開口面に対し略直交方向に沿うように形成した略平坦な壁面と、前記係合フラップにおける前記略平坦な壁面側のフラップ面に形成した突部とで構成し、係合孔に係合フラップを挿通させた際、前記略平坦な壁面に前記係合フラップの突部が接触し、同係合フラップにおける遊端部の進行方向が、前記突部の突出方向と略反対方向に変向させられるように構成したものとしてある。
【手続補正３】
【補正対象書類名】明細書
【補正対象項目名】００１２
【補正方法】変更
【補正の内容】
【００１２】
また、前記係合孔の下方に、同係合孔の開口面に対し略直交方向に突出する突部を形成した壁面と、前記係合フラップの一側のフラップ面とで構成し、係合孔に係合フラップを挿通させた際、前記突部に前記係合フラップにおける一側のフラップ面が接触し、同係合フラップにおける遊端部の進行方向が、前記突部の突出方向と略同じ方向に変向させられるように構成したものとしてある。
【手続補正４】
【補正対象書類名】明細書
【補正対象項目名】００１３
【補正方法】変更
【補正の内容】
【００１３】
さらに、前記壁面を、パッケージの本体における被収容物を収容するための凹部側壁とした構成のものとしてある。
【手続補正５】
【補正対象書類名】明細書
【補正対象項目名】００１４
【補正方法】変更
【補正の内容】
【００１４】
さらに、前記壁面を、パッケージの断面略逆Ｕ字状に形成した蓋体の側壁とした構成のものとしてある。